(57)【特許請求の範囲】
【請求項１】
直方体状の枠体と、前記枠体の前面側に設けた扉と、前記枠体の裏面側に設けたカバ−とから少なくともなるケースに各主回路構成機器を収納したユニットを積み重ねてなる受電設備において、
前記枠体の側面側下部の両方に、それぞれ２個のロ−ラがその一部を前記枠体から下側にとび出させた状態で取付けられ、
前記２個のロ−ラのうち前記枠体の裏面側に取付けられたロ−ラの幅を前記２個のロ−ラのうち前記枠体の前面側に取付けられたロ−ラの幅よりも広くし、
前記２個のロ−ラの取付位置に対応する前記枠体の側面側上部の両方に、それぞれ前記２個のロ−ラの大きさに対応するロ−ラ落し込み用切抜き部が設けられ、
前記枠体の側面側上部の内側端部に沿ってそれぞれローラガイド用レールが取付けられている受電設備。
【請求項２】
直方体状の枠体と、前記枠体の前面側に設けた扉と、前記枠体の裏面側に設けたカバ−とから少なくともなるケースに各主回路構成機器を収納したユニットを積み重ねてなる受電設備において、
前記枠体の側面側下部の両方に、それぞれ２個のロ−ラがその一部を前記枠体から下側にとび出させた状態で取付けられ、
前記２個のロ−ラのうち前記枠体の前面側に取付けられたロ−ラの位置と前記２個のロ−ラのうち前記枠体の裏面側に取付けられたロ−ラの位置とを前記枠体の枠部の長手方向に対して左右にずらせ、
前記２個のロ−ラの取付位置に対応する前記枠体の側面側上部の両方に、それぞれ前記２個のロ−ラの大きさに対応するロ−ラ落し込み用切抜き部が設けられ、
前記枠体の側面側上部の内側端部に沿ってそれぞれローラガイド用レールが取付けられている受電設備。
【発明の詳細な説明】
【０００１】
【発明の属する技術分野】
本発明はビル、工場などの電気室に設置される受電設備に関するものである。
【０００２】
【従来の技術】
受電設備（以下、受電設備という。）は、各種の主回路構成機器（以下、機器という。）をケースに収納したユニットが通常一列に並べて配置され、そのユニットの数は平均的に１０台以上で構成されることが多い。各ユニットとしては、高さ、幅及び奥行がそれぞれ２３００ｍｍ，６００〜１３００ｍｍ及び７００ｍｍであり、高さ２３００ｍｍは標準仕様となっている。
【０００３】
図３は一例としての受電設備の単線結線図であり、図中の点線はユニットを示している。図４は図３のユニット内に収納される機器の概略的な配置状態を示す図である。なお、単線結線図は説明を簡略化するため、ユニット数を少なくして示している。また、各種の継電器、メ−タ類などを省略して示している。
【０００４】
図３に示される受電設備は、８台のユニットＵ１１〜１８からなり、例えば断路器（ＤＳ）１、真空遮断器（ＶＣＢ）２、避雷器（ＬＡ）３、計器用変圧器（ＰＴ）４、計器用（ＣＴ）５、高圧気中負荷開閉器（ＬＢＳ）６、高圧カットアウト（ＰＣ）７、電力ヒュ−ズ（ＰＦ）８、真空開閉器（ＶＣＳ）９、限流リアクトル（ＳＲ）１０、進相用コンデンサ（ＳＣ）１１、配線用遮断器（ＭＣＢ）１２、零相変流器（ＺＣＴ）１３、計器用変な器（ＰＣＴ）１４及び電力用変圧器（ＴＲ）１５の各機器により構成される。
【０００５】
８台のユニットＵ１１〜Ｕ１８のうち、ユニットＵ１１〜Ｕ１４，Ｕ１６〜Ｕ１８はそれぞれ図４（Ａ）〜（Ｄ），（Ｅ）〜（Ｇ）に、またユニットＵ１５は図４（Ｃ）示すように、ユニットＵ１１にＺＣＴ１３，ＰＣＴ１４が収納され、ユニットＵ１２に２つのＤＳ１，ＰＴ４及びＬＡ３が収納され、ユニットＵ１３にＶＣＢ２，ＣＴ５が収納され、ユニットＵ１４にＬＢＳ６，ＰＦ８，ＶＣＳ９，ＳＲ１０及びＳＣ１１が収納され、ユニットＵ１５にＶＣＢ２，ＣＴ５が収納され、ユニットＵ１６に２つのＶＣＢ２と２つのＣＴ５とが収納され、ユニットＵ１７にＣＴ５，ＰＣ７及びＴＲ１５が収納され、ユニットＵ１８にＭＣＢ１２が収納される。
【０００６】
ところで近年、ビル、工場が急速にインテリジェント化されつつあり、それに伴う電力需要に対処するため、受電設備のリニューアルが図られる。受電設備を一般乗用のエレベータを使用して搬送する場合またはエレベータを使用することなく、そのまま電気室の入口から搬入する場合には、エレベータが使用でき、または電気室の入口から搬入できるように、設計し直すことが行われている。
【０００７】
そこで、ユニットに収納される機器の数を少なく、かつユニットを小型化すればよく、図５に示す受電設備は、図３に示した受電設備を構成するユニットを８台から例えば１３台にしたものであり、各ユニットは大きさがそれぞれ異なる例えば３種のケ−スＡ，Ｂ，Ｃから選択されて構成される。本出願人はこのような受電設備を提案した。
【０００８】
ケ−スＡは、その高さ、幅及び奥行が例えばそれぞれ１６００mm，１４００mm及び８００mm、ケ−スＢは高さ、幅及び奥行が例えばそれぞれ８００mm，１０００mm及び８００mm、ケ−スＣは高さ、幅及び奥行が例えばそれぞれ８００mm，８００mm及び８００mm、特に大きさが最大であるケ−スＡの寸法は、最大容量（５００ＫＶＡ）の変圧器１台が収納されるように設定される。したがって、全てのケ−スの高さは、ケ−スＡの高さである例えば１６００mm以下に規制される。
【０００９】
１３台のユニットＵ２１〜Ｕ３３のうち、ユニットＵ２１〜Ｕ２７，Ｕ３１〜Ｕ３３はそれぞれ図６（Ａ）〜（Ｇ），（Ｈ）〜（Ｊ）に、またユニットＵ２８〜Ｕ３０は図６（Ｄ）に示すようになる。ユニットＵ２１は、図６に示したユニットＵ１１と同様であるが、ケ−スＢにＺＣＴ１３及びＰＣＴ１４を収納して構成される。ユニットＵ２２，Ｕ２３は図３に示したユニットＵ１２を２分割したもので、ユニットＵ２２はケ−スＣにＤＳ１，ＰＴ４、ユニットＵ２３はケ−スＣにＤＳ１，ＬＡ３が収納される。ユニットＵ２４は、図３に示したユニットＵ１３と同様であるが、ケ−スＣにＶＣＢ２，ＣＴ５が収納される。ユニットＵ２５，Ｕ２６，Ｕ２７は、図３に示したユニットＵ１４を３分割したもので、ユニットＵ２５はケ−スＣにＬＢＳ６，ＰＦ８、ユニットＵ２６はケ−スＣにＶＣＳ９、ユニットＵ２６はケ−スＣにＳＲ１０，ＳＣ１１が収納される。ユニットＵ２８は、図３に示したユニットＵ１５と同様であるが、ケ−スＣにＶＣＢ２，ＣＴ５が収納される。ユニットＵ２９，Ｕ３０は、図３に示したユニットＵ１６を２分割したもので、それぞれケ−スＣにＶＣＢ２，ＣＴ５が収納される。ユニットＵ３１，Ｕ３２は、図３に示したユニットＵ１７を２分割したもので、ユニットＵ３１はケ−スＣにＰＣ７、ユニットＵ３２はケ−スＡにＴＲ１５が収納される。ユニットＵ３３は図３に示したユニットＵ１８と同様であるが、ケ−スＡにＭＣＢ１２が収納される。このようなユニットを集合させた場合の配置状態の一例を示すと図７のようになる。
【００１０】
【発明が解決しようとする課題】
ユニットを積み重ねて、図７に示すように構成される受電設備では、ユニットを吊り上げる際に、設置場所の天井に設けられているクレーン、リフトなどの設備がなければ、吊り上げられないので、新たにこれらの設備を設置しなければならないという問題がある。また、ユニットを重ねる際に、上下のユニット同士を固定するための、枠に設けた孔同士の位置合わせを行わなければならないので、その作業が煩雑になり、しかも時間が掛かるという問題がある。
【００１１】
本発明は、ユニットを積み重ねる際の作業性を高めるようにした受電設備を提供することを課題としている。
【００１２】
【課題を解決するための手段】
本発明は、直方体状の枠体と、枠体の前面側に設けた扉と、枠体の裏面側に設けたカバ−とから少なくともなるケースに各主回路構成機器を収納したユニットを積み重ねてなる受電設備に係わるものである。
【００１３】
請求項１に記載の発明は、枠体の側面側下部の両方に、それぞれ２個のロ−ラがその一部を枠体から下側にとび出させた状態で取付けられ、２個のロ−ラのうち枠体の裏面側に取付けられたロ−ラの幅を２個のロ−ラのうち枠体の前面側に取付けられたロ−ラの幅よりも広くし、２個のロ−ラの取付位置に対応する枠体の側面側上部の両方に、それぞれ２個のロ−ラの大きさに対応するロ−ラ落し込み用切抜き部が設けられ、枠体の側面側上部の内側端部に沿ってそれぞれローラガイド用レールが取付けられたものである。
【００１４】
請求項２に記載の発明は、枠体の側面側下部の両方に、それぞれ２個のロ−ラがその一部を枠体から下側にとび出させた状態で取付けられ、２個のロ−ラのうち枠体の前面側に取付けられたロ−ラの位置と２個のロ−ラのうち枠体の裏面側に取付けられたロ−ラの位置とを枠体の枠部の長手方向に対して左右にずらせ、２個のロ−ラの取付位置に対応する枠体の側面側上部の両方に、それぞれ２個のロ−ラの大きさに対応するロ−ラ落し込み用切抜き部が設けられ、枠体の側面側上部の内側端部に沿ってそれぞれローラガイド用レールが取付けられたものである。
【００１５】
上記の請求項１及び２の発明においては、ユニットの下部に取り付けられて一部を枠体から下側にとび出させたローラを、また上部にそれぞれ大きさを異ならせ、または位置をずらせたローラ落し込み用切抜き部を、さらにローラガイド用レールを設けることにより、上のユニットに取付けたローラが下のユニットに取付けたローラガイド用レールに案内されながら上のユニットを容易に押し込むことができ、しかも上のユニットを容易に位置決めすることができるため、同じ大きさのユニットを容易に積み重ねることができる。
【００１６】
【発明の実施の形態】
図１は本発明に係る受電設備に用いられるケースの一構成例を概略的に示した斜視図である。各ケ−スは、図１に示すように、直方体状の枠体２１と、前面側の枠体２１に取付けられる扉２２と、上面側、両側面側及び裏面側にそれぞれ取付けられるカバ−２３，２４，２５及び２６とから構成されるが、扉２２及びカバ−２６以外はユニットの位置に応じて選択的に取付けられる。枠体２１には、その側面側の下部の両方に、それぞれ２個のロ−ラ２７ａ，２７ｃ及び２７ｂ，２７ｄが着脱自在に取付けられ、枠体の前面側に位置するロ−ラ２７ａ，２７ｂの幅は狭く、裏面側に位置するロ−ラ２７ｃ，２７ｄの幅は広くしており、共にローラの一部が枠体から下側にとび出している。また、同じ大きさのユニットを積み重ねる場合、上のユニットのロ−ラ取付位置に対応する下のユニットの側面側の枠体上部の両方に、それぞれロ−ラを完全に落し込ませるための矩形状のローラ落し込み用切抜き部２１ａ，２１ｃ及び２１ｂ，２１ｄが設けられている。さらに、側面側の枠体上部の内側端部に沿ってそれぞれローラガイド用レ−ル２８ａ，２８ｂが着脱自在に取付けられ、その長さは枠体２１の前面側に位置する枠部内側と裏面側に位置する枠部内側との間隔よりも多少短くしている。
【００１７】
ユニットを積み重ねる際には、上に配置されるユニットの下端部が下のユニットの上面よりも少し高い目の位置となるように、いわゆる簡易型リフタ−で運び上げて、下のユニットの前面側に移動させ、その後は適宜の手段、例えば人手により押し込む。押し込む際には、上のユニットに取付けられた大きい方のロ−ラ（２７ｃ，２７ｄ）が下のユニットの前面側のローラ落し込み用切抜き部２１ａ，２１ｂにそれぞれ落ち込むことなく通過し、しかもこのロ−ラがローラガイド用レ−ル２８ａ，２８ｂに案内されながら容易に押し込むことができ、その結果、大きいロ−ラ（２７ｃ，２７ｄ）が幅の広いローラ落し込み用切抜き部２１ｃ，２１ｄにそれぞれ落とし込まれると共に、小さいロ−ラ（２７ａ，２７ｂ）が幅の狭い切抜き部２１ａ，２１ｂにそれぞれ落し込まれ、また下のユニットに設けたローラガイド用レ−ル２８ａ，２８ｂに、上のユニットの側面側の枠体下部が嵌り込むことになり、上のユニットが容易に位置決めされる。このようにして集合させたユニット同士は、例えば枠体にボルト貫通孔を設けてボルトにより結合した後、各ユニットに設けたロ−ラ及びローラガイド用レ−ルを取り外すが、これらは取付けたままでもよい。取付けたままとする場合は、このロ−ラ及びローラガイド用レ−ルを着脱自在となる構成にする必要がない。
【００１８】
図１に示したケ−スは、図２（Ａ），（Ｂ）に示すような構成でもよく、その構成としては、図１に示したケ−スと殆ど同様である。なお、図２（Ａ）はローラ落し込み用切抜き部及びローラガイド用レ−ルの配置状態を示す上面図、図２（Ｂ）はローラの配置状態を示す上面図である。枠体２１’には、その側面側の下部の両方に、それぞれ２個の同じ大きさのロ−ラ２７ａ’，２７ｃ’及び２７ｂ’，２７ｄ’がその一部を枠体から下側にとび出した状態で着脱自在に取付けられ、枠体の前面側及び裏面側に位置する２個のロ−ラ７ａ’，２７ｃ’及び２７ｂ’，２７ｄ’の取付位置をそれぞれ枠体の枠部の長手方向に対して左右にずらせる。また、上のユニットのロ−ラ取付位置に対応する下のユニットの側面側の枠体上部の両方に、それぞれローラ落し込み用切抜き部２１ａ’，２１ｃ’及び２１ｂ’，２１ｄ’が設けられている。さらに、側面側の枠体上部の内側端部に沿ってそれぞれローラガイド用レ−ル２８ａ’，２８ｂ’が取付けらている。
【００１９】
図２に示すケースから構成されるユニットを積み重ねるためにユニットを押し込む際には、上のユニットに取付けられた裏面側のロ−ラ（２７ｃ’，２７ｄ’）が下のユニットの前面側のローラ落し込み用切抜き部２１ａ’，２１ｂ’にそれぞれ落ち込むことなく通過し、しかもこのロ−ラがローラガイド用レ−ル２８ａ’，２８ｂ’に案内されながら押し込むことができ、その結果、裏面側のロ−ラ（２７ｃ’，２７ｄ’）が裏面側のローラ落し込み用切抜き部２１ｃ’，２１ｄ’にそれぞれ落とし込まれると共に、前面側のロ−ラ（２７ａ’，２７ｂ’）が前面側のローラ落し込み用切抜き部２１ａ’，２１ｂ’にそれぞれ落し込まれ、また下のユニットに設けたローラガイド用レ−ル２８ａ’，２８ｂ’に、上のユニットの側面側の枠体下部が嵌り込むことになり、上のユニットが容易に位置決めされる。この例でもロ−ラ及びローラガイド用レ−ルを取付ける構成はどちらでもよい。
【００２０】
本発明の受電設備は、屋内、屋外のいずれにも設置できる。屋外に適用した場合には、クレーン、リフトなどの設備を有する車を準備しなくてもよい。
【００２１】
【発明の効果】
以上のように、本発明によれば、ユニットの下部に取り付けられて一部を枠体から下側にとび出させたローラを、また上部にそれぞれ大きさを異ならせ、または位置をずらせたローラ落し込み用切抜き部を、さらにローラガイド用レールを設けたので、新たにリフトの設備を設けることなく、ユニットを容易に積み重ねることができる。
【図面の簡単な説明】
【図１】本発明に係る受電設備に用いられるケースの一構成例を概略的に示した斜視図である。
【図２】本発明に係る受電設備に用いられるケースの他の構成例を示し、（Ａ）はローラ落し込み用切抜き部及びローラガイド用レ−ルの配置状態を示す上面図、（Ｂ）はローラの配置状態を示す上面図である。
【図３】一例としての受電設備の単線結線図及び受電設備を構成するユニットを点線で示した図である。
【図４】（Ａ）〜（Ｇ）はそれぞれ図３に示したユニット内に収納される主回路構成機器の概略的な配置状態を示す図である。
【図５】図３に示したユニットの数を変化させた受電設備の単線結線図である。
【図６】（Ａ）〜（Ｇ）はそれぞれ図５に示したユニット内に収納される主回路構成機器の概略的な配置状態を示す図である。
【図７】各ユニットを集合させた場合の配置状態の一例を示す図である。
【符号の説明】
１〜１５  主回路構成機器
Ｕ２１〜Ｕ３３  ユニット
２１  枠体
２２  扉
２１ａ〜２１ｄ，２１ａ’〜２１ｄ’  ロ−ラ落し込み用切抜き部
２３〜２６  カバ−
２７ａ〜２７ｄ，２７ａ’〜２７ｄ’  ロ−ラ
２８ａ，２８ｂ，２８ａ’，２８ｂ’  ローラガイド用レール
【図１】
0004342656.tif 000002
【図２】
0004342656.tif 000003
【図３】
0004342656.tif 000004
【図４】
0004342656.tif 000005
【図５】
0004342656.tif 000006
【図６】
0004342656.tif 000007
【図７】
0004342656.tif 000008